(57)【要約】【課題】静止画像データを色温度の種類でかつ時系列に分類して表示する。【解決手段】撮影時に画像データの色温度情報を検出し、検出した色温度情報と１つ前の画像データの色温度とを比較して同じである場合には連続シーンであると判定して前と同じグループ番号を生成し、また、異なる場合には不連続シーンであると判定して新たなグループ番号を生成し、静止したグループ番号をサムネイル画像とともに静止画像データに埋め込んでファイル化した画像ファイルを保存する。再生するときには、各画像ファイルからグループ番号を読み出して、グループ番号に基づいてサムネイル画像をグループ５６に分類し、各グループ５６をグループ番号の順番に並べてＬＣＤに表示する。【選択図】図６
2008022216.tif 000002
【特許請求の範囲】
【請求項１】
静止画像データに、色温度情報、及び、前記静止画像データを縮小表示するためのサムネイル画像を埋め込んだ形式の画像ファイルを記憶媒体から読み込んで前記サムネイル画像を表示部に一覧表示する画像表示装置において、
前記記憶媒体から読み出した画像ファイルを記憶する記憶手段と、
前記記憶手段から静止画像データを順番に読み出し、前記静止画像データの色温度情報を１つ前に読み出した静止画像データの色温度情報と比較して、互いの色温度情報が略同じである場合には前記１つ前の静止画像データに付与したのと同じグループ番号を付与し、また、互いの色温度情報が異なる場合には、新たなグループ番号を付与するシーン連続性判別手段と、
前記シーン連続性判別手段が付与したグループ番号に基づいて各画像ファイルに対応するサムネイル画像をグループ化し、グループ番号を付与した順に各グループを並べて前記表示部に一覧表示するインデックス表示制御手段と、
を備えたことを特徴とする画像表示装置。
【請求項２】
静止画像データに、前記静止画像データを縮小表示するためのサムネイル画像を埋め込んだ形式の画像ファイルを記憶媒体から読み出して、前記サムネイル画像の一覧を表示部に表示する画像表示装置において、
前記記憶媒体から読み出した画像ファイルを記憶する記憶手段と、
前記記憶手段から静止画像データを順番に読み出し、読み出した静止画像データごとに被写体の色温度を検出し、色温度情報を送出する色温度検出手段と、
前記静止画像データの色温度情報を１つ前に読み出した静止画像データの色温度情報と比較して、互いの色温度情報が略同じである場合には前記１つ前の静止画像データに付与したのと同じグループ番号を付与し、また、互いの色温度情報が異なる場合には、新たなグループ番号を付与するシーン連続性判別手段と、
前記シーン連続性判別手段が付与したグループ番号に基づいて各画像ファイルに対応するサムネイル画像をグループ化し、前記グループ番号を付与した順に各グループを並べて前記表示部に一覧表示するインデックス表示制御手段と、
を備えたことを特徴とする画像表示装置。
【請求項３】
被写体を撮像して静止画像データを生成する撮像手段と、ホワイトバランスの補正を行うために、前記静止画像データに基づいて被写体の色温度を検出するホワイトバランス検出手段と、前記静止画像データを縮小表示するためのサムネイル画像を含むタグ情報を前記静止画像データに埋め込んだ形式の画像ファイルを作り、その画像ファイルを記録媒体に保存する保存手段と、を備えた情報記録機付き撮影装置において、
シャッタレリーズに応答して前記ホワイトバランス検出手段で検出した色温度情報を記憶する記憶手段と、
再生時に前記サムネイル画像を、シーンの変化に基づいて分類して一覧表示を行うために、シャッタレリーズに応答して取り込んだ静止画像データに基づく色温度情報を、前記記憶手段から読み出した、１つ前に撮影した静止画像データの色温度情報と比較して、互いの色温度情報が略同じである場合には前記１つ前の静止画像データに付与したのと同じグループ番号を付与し、また、互いの色温度情報が異なる場合には、新たなグループ番号を付与するシーン連続性判別手段と、
前記シーン連続性判別手段が付与したグループ番号を、前記サムネイル画像とともにタグ情報に埋め込むタグ情報生成手段と、を備えたことを特徴とする情報記録機付き撮影装置。
【請求項４】
色温度情報、及び、撮影画像を縮小表示するためのサムネイル画像を含むタグ情報を前記撮影画像に埋め込んだ形式の画像ファイルを記憶媒体から読み込んで前記サムネイル画像を表示部に一覧表示する画像表示方法において、
前記タグ情報を収集し、収集したタグ情報を前記画像ファイルに関連付けして記憶手段に記憶するステップと、
シーン連続性判別手段が前記記憶手段から画像データを順番に読み出し、前記画像データの色温度情報を１つ前に読み出した画像データの色温度情報と比較して、互いの色温度情報が略同じである場合には前記１つ前の画像データに付与したのと同じグループ番号を付与し、また、互いの色温度情報が異なる場合には、新たなグループ番号を付与するステップと、
前記シーン連続性判別手段が付与したグループ番号に基づいてインデックス表示制御手段が各画像ファイルに対応するサムネイル画像をグループ化し、グループ番号を付与した順に各グループを並べて前記表示部に一覧表示するステップと、
を備えたことを特徴とする画像表示方法。
【請求項５】
静止画像データに、前記静止画像データを縮小表示するためのサムネイル画像を埋め込んだ形式の画像ファイルを記憶媒体から読み出して、前記サムネイル画像の一覧を表示部に表示する画像表示方法において、
前記記憶媒体から読み出した画像ファイルを記憶手段に記憶するステップと、
色温度検出手段が前記記憶手段から静止画像データを順番に読み出し、読み出した静止画像データごとに被写体の色温度を検出し、色温度情報を送出するステップと、
シーン連続性判別手段が前記静止画像データの色温度情報を１つ前に読み出した静止画像データの色温度情報と比較して、互いの色温度情報が略同じである場合には前記１つ前の静止画像データに付与したのと同じグループ番号を付与し、また、互いの色温度情報が異なる場合には、新たなグループ番号を付与するステップと、
前記シーン連続性判別手段が付与したグループ番号に基づいてインデックス表示制御手段が各画像ファイルに対応するサムネイル画像をグループ化し、前記グループ番号を付与した順に各グループを並べて前記表示部に一覧表示するステップと、
を備えたことを特徴とする画像表示装置。
【請求項６】
前記請求項４又は５に記載の画像表示方法の各ステップを１又は複数のコンピュータに実現させるためのプログラム。
【請求項７】
複数の静止画像フレームを時系列に並べた形式の動画データを動画ファイルに収めて記録媒体に記録する動画像記録装置において、
前記静止画像フレームの色温度を順に検出する色温度検出手段と、
前記静止画像フレームの色温度の変化に基づいてシーンの区切りを判別するシーン判別手段と、
前記シーン判別手段がシーンの区切りと判断するごとに、その前までの静止画像フレームを時系列に並べた形式の動画データを分割ファイルとして前記記録媒体に保存してゆく分割ファイル保存手段と、
を備えたことを特徴とする動画像記録装置。
【発明の詳細な説明】
【技術分野】
【０００１】
本発明は、本発明は、電子カメラやカメラ付き携帯電話などに用いられる画像表示装置、画像表示方法、プログラム、情報記録機付き撮影装置、及び、動画像記録装置に関するものである。
【背景技術】
【０００２】
従来、電子カメラでは、静止画像データを収めた静止画像ファイルや、動画データを収めた動画ファイルを記録媒体に記録することが知られている。静止画像ファイルには、静止画像データを縮小したサムネイル画像を埋め込んだ形式のものがある。この形式の静止画像ファイルを再生するときには、サムネイルが表示されるので、所望する静止画像ファイルを捜しやすい。しかし、多数のサムネイル画像が表示される場合には、１画面には入りきれないので、頁送りの操作が必要になり、捜すのに手間がかかる。
【０００３】
動画ファイルを再生するときには、動画ファイルのファイル名とファイル作成日との表示だけで中身が分からないので、所望する動画ファイルを探すのに手間がかかる。
【０００４】
そこで、所望する動画ファイルを容易に捜すことができるように、動画ファイルを再生するときに、読み込んだ動画データから色温度を検出し、検出した色温度に基づいてシーンの変化を判別し、シーンが変化するポイントごとにインデックス画像を作り、作ったインデックス画像を時系列順に配列して表示する動画像処理装置及び方法が知られている（特許文献１）。この発明では、１つの動画ファイルに対してシーン別インデックス（チャプタ）画像が生成されるため、動画データの内容を容易に把握することができる。画像データの色温度を調べると、野外（晴天）、蛍光灯（室内）、タングステンランプ（室内照明）、ストロボ要（夜景、室内照明無し）などの撮影した環境が分かる。
【０００５】
また、撮像画像の色温度を検出し、色温度に基づいて静止画像ファイルを分類して記録媒体に保存する電子カメラが記載されている（特許文献２）。この発明では、色温度ごとに静止画像ファイルを分類して表示するので、例えば、室内で撮った画像と野外で撮った画像とを容易に見つけることができる。
【特許文献１】特開２００４−２９７６９７号公報
【特許文献２】特開平１０−１２６７３８号公報
【発明の開示】
【発明が解決しようとする課題】
【０００６】
しかしながら、例えば１０個の静止画像ファイル「Ａ１，Ａ２，Ａ３，Ａ４，Ｂ５，Ｂ６，Ｂ７，Ａ８，Ａ９，Ａ１０」（英字は色温度の種類、番号は撮影日時の順番を表す）が有る場合、特許文献２に記載の発明では単に色温度で分類するため、「Ａ１，Ａ２，Ａ３，Ａ４，Ａ８，Ａ９，Ａ１０」の第１グループと、「Ｂ５，Ｂ６，Ｂ７」の第２グループとに分類される。しかし、このような分類表示では、第１グループのうちの「Ａ４，Ａ８」との間に、第２グループの静止画像ファイル「Ｂ５，Ｂ６，Ｂ７」が時間的に存在することが分からない。つまり、「Ａ４，Ａ８」との間に時間差があることに気付かない。このため、第１グループに含まれる静止画像ファイルは、全て同じ場所でかつ略同じ時間に撮影した画像群であると判断されるおそれがある。
【０００７】
また、特許文献１に記載の発明では、動画ファイルごとに色情報に基づいてシーンを区切った位置のフレーム画像をチャプタ（インデックス）画像として時系列に表示する。このため、色温度が変化するシーンの所のインデックス画像が時系列に表示されるので動画ファイルの中身が分かりやすい反面、ファイルサイズが大ききため、ある部分をカットしたりする動画編集を行うのに時間がかかる欠点がある。
【０００８】
本発明は、上記問題点を考慮してなされたもので、静止画像ファイルを色温度で分類しかつ時系列に分類して表示することができる画像表示装置、画像表示方法、プログラム、及び、情報記録機付き撮影装置を提供することを目的とする。また、中身がわかる動画ファイルにおいて編集し易くするために工夫した動画像記録装置を提供することを目的とする。
【課題を解決するための手段】
【０００９】
上記目的を達成するために、本発明の画像表示装置では、記憶媒体から読み出した画像ファイルを記憶する記憶手段と、前記記憶手段から静止画像データを順番に読み出して静止画像データの色温度情報を１つ前に読み出した静止画像データの色温度情報と比較して互いの色温度情報が略同じである場合には１つ前の静止画像データに付与したのと同じグループ番号を付与しまた互いの色温度情報が異なる場合には新たなグループ番号を付与するシーン連続性判別手段と、前記シーン連続性判別手段が付与したグループ番号に基づいて各画像ファイルに対応するサムネイル画像をグループ化しグループ番号を付与した順に各グループを並べて表示部に一覧表示するインデックス表示制御手段と、を備えたものである。
【００１０】
画像ファイルに、色温度情報やグループ番号などのシーン連続性情報が埋め込まれていない場合には、記録媒体から読み出した静止画像データに基づいて被写体の色温度を検出する必要がある。そして、静止画像データの色温度情報を１つ前に読み出した静止画像データの色温度情報と比較して、互いの色温度情報が略同じである場合には前記１つ前の静止画像データに付与したのと同じグループ番号を付与し、また、互いの色温度情報が異なる場合には、新たなグループ番号を付与すればよい。
【００１１】
情報記録機付き撮影装置では、色温度情報やグループ番号などのシーン連続性情報を、画像データに埋め込んで記録媒体に保存する必要がある。この装置には、一般的にホワイトバランスを補正するためのホワイトバランス検出回路が内蔵されている。このホワイトバランス検出回路を利用して得られる色温度情報を記録手段で記憶し、シーン連続性判別手段でシャッタレリーズに応答して取り込んだ静止画像データに基づく色温度情報を、記憶手段から読み出した１つ前に撮影した静止画像データの色温度情報と比較して、互いの色温度情報が略同じである場合には前記１つ前の静止画像データに付与したのと同じグループ番号を付与し、また、互いの色温度情報が異なる場合には、新たなグループ番号を付与する。そして、タグ情報生成手段で、シーン連続性判別手段が付与したグループ番号をサムネイル画像とともにタグ情報として生成すれば、サムネイル画像とグループ番号とが画像データに埋め込まれた形式の画像ファイルで保存できる。これにより、再生時にサムネイル画像をシーンの変化に基づいて分類して一覧表示を行うことができる。
【００１２】
なお、画像表示装置の代わりに、画像表示方法としてもよい。また、画像表示方法の各ステップを１又は複数のコンピュータに実現させるためのプログラムとしてもよい。
【００１３】
動画ファイルの場合には、シーンの激しい変化が有る場合、そのシーンごとにチャプタ画像（インデックス画像）が作成されると、チャプタ画像が多くなって逆に所望するシーンを見つけるのに手間がかかる。そこで、本発明の動画像記録装置では、静止画像フレームの色温度を撮影順番で検出する色温度検出手段と、静止画像フレームの色温度の変化に基づいてシーンの区切りを判別するシーン判別手段と、前記シーン判別手段がシーンの区切りと判断するごとに、その前までの静止画像フレームを時系列に並べた形式の動画データを分割ファイルとして前記記録媒体に保存してゆく分割ファイル保存手段と、を備えたものである。
【発明の効果】
【００１４】
静止画像ファイルを表示する発明によれば、各画像ファイルに対応するサムネイル画像を、撮影順番の前後の画像データの色温度情報を比較してグループ番号を付与し、グループ番号に基づいてグループ化し、各グループをグループ番号の生成順に並べて一覧表示するため、同じ色温度の画像ファイルでも時系列に分類して表示される。このため、所望する画像ファイルを容易に捜すことができる。また、色温度の変化に基づいて動画データを分割してファイル化をしていく動画像記録装置によれば、シーンの変化ごとに動画ファイルが生成されるので、ファイルサイズを少なくすることができ、よって編集が簡便に行える。
【発明を実施するための最良の形態】
【００１５】
本発明を採用した電子カメラ１０は、図１に示すように、前面に撮影レンズ１１、ストロボ発光窓１２が、また、上面にはシャッタボタン１３、電源ボタン１４、機能モードダイヤル１５がそれぞれ設けられている。機能モードダイヤル１５は、カメラモード、再生モード、メニューモードとのうちの何れかを選択する操作部である。カメラモードは静止画を記録するモード、再生モードは記録した静止画を再生するモード、そして、メニューモードは、手動でホワイトバランス、ＩＳＯ感度、日時、及び、色調などの画像処理などの設定値を変更するモードである。
【００１６】
背面には、図２に示すように、液晶表示部（ＬＣＤ）１６、決定ボタン１７、テレ／ワイドズームボタン１９、及び、十字ボタン２０などが設けられている。カメラ及びビデオモードモードでは、撮影待機状態のときにスルー画像がＬＣＤ１６に表示される。再生モードのときには、静止画像ファイルに対応するサムネイル画像をシーン連続性ごとにグループ化し、各グループを時系列に並べて一覧表示する。
【００１７】
電子カメラ１０には、図３に示すように、絞り２２、撮影レンズ２３、及び、ＣＣＤ２４が設けられている。撮影レンズ１１は、レンズモータ２５の駆動が入力されることで、ピントが最適となる位置に移動する。絞り２２は、アイリスモータ２６の駆動により絞り口径を変える。これらのモータ２５，２６は、ＣＰＵ２７に接続されたモータドライバ２８，２９を介して駆動が制御される。
【００１８】
ＣＣＤ２４は、撮影レンズ１１により結像する被写体像を撮像する。ＣＣＤ２４には、ＣＰＵ２７によって制御されるタイミングジェネレータ（ＴＧ）３０が接続され、このＴＧ３０から入力されるタイミング信号（クロックパルス）により、電子シャッタのシャッタ速度が決定される。
【００１９】
ＣＣＤ２４から得られる撮像信号は、ＣＤＳ／ＡＭＰ３１に入力される。ＣＤＳは、相関二重サンプリング回路であり、ＣＣＤ２４の各セルの蓄積電荷量に正確に対応したＲ、Ｇ、Ｂの画像データを出力する。ＡＭＰは、増幅器である。増幅された画像データは、Ａ／Ｄ変換器３２でデジタル信号に変換される。
【００２０】
画像入力コントローラ３３は、バス３４を介してＣＰＵ２７に接続され、ＣＰＵ２７の制御命令に応じてＣＣＤ２４、ＣＤＳ／ＡＭＰ３１、及び、Ａ／Ｄ変換器３２を制御する。Ａ／Ｄ変換器３２から出力される画像データは、所定間隔ごとに出力され、メモリ３５に格納される。メモリ３５には、画像データを格納する画像用メモリが設けられており、画像用メモリから読み出された画像データは、ＬＣＤドライバ３６に送られてＬＣＤ１６にスルー画像として表示される。なお、メモリ３５には、画像用メモリの他に、ワーク用メモリも設けられている。
【００２１】
画像信号処理回路３８は、ホワイトバランス（ＷＢ）補正、γ補正処理などの各種画像処理を画像データに施す。画像信号処理回路３８で各種処理を施された画像データは、ＹＣ変換処理回路３９により輝度信号Ｙと色差信号Ｃｒ、Ｃｂとに変換される。圧縮伸長処理回路４０は、この変換された画像データに対して、所定の圧縮形式（例えばＪＰＥＧ形式）で画像圧縮を施す。圧縮された画像データは、メディアコントローラ４１を経由して記録媒体であるメモリカード４２に静止画像ファイルとして記録される。なお、メモリカード４２としては、カメラボディに対して着脱自在なものでもよい。
【００２２】
静止画像ファイルは、撮影日時情報、画像データを縮小したサムネイル画像、及び、詳しくは後述するシーン連続性を表す情報（以下「シーン連続性情報」と称す）などのタグ情報をタグ領域に書き込んで画像データとともにファイル化した形式になっている。
【００２３】
再生モードのときには、メモリカード４２に保存した各画像データのサムネイル画像が読み出され、サムネイル画像を一覧表示したインデックス画像をＬＣＤ１６に表示する。このインデックス画像の画面から所望するサムネイル画像を選択すると、メモリカード４２から対応する画像データが圧縮伸長処理回路４０に読み出され、圧縮伸長処理回路４０で伸長処理が施された後にＬＣＤ１６に選択した画像が拡大表示される。
【００２４】
ＣＰＵ２７には、前述した操作部の他に、ＲＯＭ４５が接続されている。ＲＯＭ４５には、各種制御用のプログラムや設定情報などが記録されている。ＣＰＵ２７は、これらの情報をＲＯＭ４５からメモリ３５に読み出して、各種処理を実行する。
【００２５】
バス３４には、撮影レンズ１１の合焦位置が適切か否かを検出するためのＡＦ検出回路４６と、適正露出、すなわちＣＣＤ２４の電子シャッタのシャッタ速度、撮影感度、及び、絞り２２の絞り値が撮影に適切か否かを検出するためのＡＥ検出回路４７と、ホワイトバランス補正が撮影に適切か否かを検出するためのＡＷＢ検出回路４８とが接続されている。各検出回路４６〜４８は、バス３４を介してＣＰＵ２７に検出結果を逐次送信する。ＣＰＵ２７は、各検出回路４６〜４８から送信される検出結果に基づいて、撮影レンズ１１、絞り２２、及びＣＣＤ２４等の動作を個別に制御する。
【００２６】
ＡＥ検出回路４７は、所定間隔ごとにメモリ３５に格納される画像データの輝度情報に基づいて適正な露出値を算出する。これらの情報は、ＣＰＵ２７に送られ、ＣＰＵ２７は、得られる情報に基づいて電子シャッタ、及び、絞り２２の制御を連続的に行う。
【００２７】
このカメラ１０は、シャッタボタン１３の半押し操作をしなくても常にホワイトバランスの補正を行うコンティニアス・オート・ホワイトバンラス（ＣＡＷＢ）方式を採用している。ＡＷＢ検出回路４８は、メモリ３５に格納した１画面分の画像データのＲ、Ｇ、Ｂ信号の色別の積算値を算出して、メモリ３５に格納する。ＣＰＵ２７は、メモリ３５に格納されたＲ、Ｇ、Ｂ信号の積算データに基づいて色別の積算値の比Ｒ／Ｇ、Ｂ／Ｇを算出する。次いで、ＣＰＵ２７は、算出された積算値の比Ｒ／Ｇ、Ｂ／Ｇに基づいて、昼光、蛍光灯、タングステン光源などの被写体を照明する光源の種類（または、その色温度）を判定する。
【００２８】
ＣＰＵ２７は、特定した光源に対応したＲＧＢ各色のＷＢ補正値（ＷＢゲイン）を決定する。画像信号処理回路３８は、決定されたＷＢ補正値に基づいて、ＣＣＤ２４及びＡ／Ｄ変換器３２を介して取り込んだ画像データに対してＷＢ補正を行う。また、ＣＰＵ２７は、シャッタレリーズに応答して取り込んだ画像データの色温度情報をメモリ３５に記憶する。なお、この色温度情報は、シーン連続性判定のときに用いる。
【００２９】
なお、本発明では、色温度（光源）の種類を判定する方法として前述した方法に限定されるものではない。他の方法としては、例えば、撮像エリアを複数のエリアに分割し、エリアごとに色情報を取得してエリアごとの色温度を求め、色温度ごとのエリアの個数から画像全体の色温度を判定する方法がある。また、横軸をＲ／Ｇ、縦軸をＢ／Ｇとするグラフ上で、各種光源に対応する色分布の範囲を示す検出枠を予め設定しておく。そして、算出された各分割エリアの平均積算値の比Ｒ／Ｇ、Ｂ／Ｇを元に、検出枠に入る分割エリアの個数を求める。そして、この検出枠に入るエリアの個数に基づいて色温度（光源の種類）を判定する方法もある。
【００３０】
ＡＦ検出回路４６は、コントラスト検出方式によりフォーカス制御を行う。また、このカメラ１０は、シャッタボタン１３の半押し操作をしなくても常にピントを合わせるコンティニアス・オート・フォーカス（ＣＡＦ）機能を採用している。この機能は、ＡＦ検出回路４６及びＣＰＵ２７などで構成される。ＡＦ検出回路４６は、画像の合焦状態を評価するために予め設定された１つ又は複数の合焦評価領域（ＡＦエリア）に基づいてメモリから合焦評価領域の画像成分を抽出し、各合焦評価領域の画像成分に基づいて画像のコントラスト値を求めて、求めたコントラスト値に基づいて画像の合焦状態を判定し、フォーカスレンズの合焦位置を特定するとともに、ＣＰＵ２７に対してレンズ駆動のための制御信号を送出する。つまり、ＡＦ検出回路４６は、フォーカスレンズを移動させつつ該撮影レンズ１１を介して得られた被写体像のコントラストを評価するとともにこのコントラスト評価値に基づいて合焦位置を判断する。ＣＰＵ２７は、その合焦位置に基づいてレンズモータ２５を駆動して、フォーカスレンズを最適な位置に移動させる。
【００３１】
シャッタレリーズに応答して画像データをファイル化してメモリカード４２に保存するときには、ＣＰＵ２７は、撮影日時情報、サムネイル情報、及び、シーン連続性情報などのタグ情報を収集し、これらタグ情報をタグ領域に書き込んで画像データとともに１つのファイル形式で保存する。このファイル形式としては、例えばExif（登録商標）（Exchangeable Image File Format）のファイル形式を用いることができる。このファイル形式は、TIFFやJPEG形式などの画像データと、この画像データの情報や撮影日時などの付加情報とを記録できるほか、サムネイル画像を記録することができる。
【００３２】
ＣＰＵ２７にはカレンダ回路５０が接続されており、撮影日時情報はカレンダ回路５０からの情報に基づいて生成される。ＣＰＵ２７は、シャッタレリーズに応答してカレンダ回路５０を参照しその時点の日時情報（撮影日時情報）を取得して、メモリ３５に記憶する。
【００３３】
サムネイル画像は、ＣＰＵ２７に設けたサムネイル画像作成部５１で作成される。サムネイル画像作成部５１は、シャッタレリーズに応答して取り込んだ画像データに基づいて縮小したサムネイル画像を作成してメモリ３５に記憶する。
【００３４】
シーン連続性情報は、ＣＰＵ２７に設けたシーン連続性判別部５２で生成される。シーン連続性判別部５２は、１つ前に撮影した画像データとシャッタレリーズに応答して取り込んだ現時点の画像データとの色温度を比較し、異なる場合には不連続シーンを表す情報を、略同じであると判定した場合には連続シーンを表す情報を生成する。これらシーン連続性情報は、メモリ３５に記憶される。なお、シャッタレリーズに応答して取り込んだ画像データの色温度は、ＡＷＢ検出回路４８から取得する。
【００３５】
色温度（光源の種類）の判定は、例えば要ストロボ環境（3000度Ｋ以下）、ラングステンランプ環境（3200〜3400度Ｋ）、蛍光灯環境（4200〜4500度Ｋ）、及び、太陽光環境（5500度Ｋ以上）などの環境のうちのいずれかの環境であるかを判定する。色温度が同じか否かの判定は、このような環境の種類ごとに判定する。なお、環境の種類は、前述に記載した数に限らず、もっと細かに分類してもよい。
【００３６】
シーン連続性情報としては、連続シーンか否かを表すグループ番号を与える。グループ番号としては、例えば記号・符号や文字を用いる。連続シーンである場合には１つ前と同じグループ番号を、また、不連続シーンの場合には新たなグループ番号を与える。この場合も、生成したグループ番号をメモリ３５に上書きしていけばよい。このように、１つ前の画像データに対して色温度に変化がある画像データに新たなグループ番号を付与するため、再生時にインデックス画像を表示するときに、多数のサムネイル画像をシーン連続性ごとにグループ化でき、かつ、グループ番号を付与した順番に各グループを並べることで、各グループを時系列順に表示することができる。
【００３７】
タグ情報作成部５３は、画像データに埋め込むためのタグ情報をメモリ３５から読み出して画像ファイルのタグ領域に書き込む情報を作成する。メモリ３５には、今回生成したサムネイル画像、撮影日時情報、色温度情報の他に、１つ前に保存した画像データに対する色温度情報も記憶されている。タグ情報作成部５３は、集取したタグ情報を埋め込んだ画像ファイルを保存した後に、メモリ３５から今回作成したサムネイル画像や撮影日時情報、及び、１つ前の色温度情報を消去する。タグ情報収集部５４は、再生時に、メモリカード４２に保存した画像ファイルを読み出してタグ情報を収集する。インデックス表示制御部５５は、タグ情報に基づいてインデックス画像を作成し、作成したインデックス画像をＬＣＤ１６に表示するよう制御する。
【００３８】
撮影を行う場合には、機能モードダイヤル１５をカメラモードの位置にセットしてから電源ボタン１４をＯＮする。そうすると、撮影レンズ１１がボディ内部に収納した収納位置からワイド端の位置に繰り出されるとともに、カメラ内部の各部の動作が開始される。これにより、絞り２２、撮影レンズ１１を介して入射した被写体光がＣＣＤ２４により光電変換され、ＣＤＳ／ＡＭＰ３１でサンプリング及び増幅されて、Ａ／Ｄ変換器３２でデジタルデータに変換される。
【００３９】
デジタル変換された画像データは、画像入力コントローラ３３を介してメモリ３５に格納され、ＬＣＤ１６にスルー画像として表示される。メモリ３５に格納される画像データの全部又は一部は、ＡＥ検出回路４７、ＡＦ検出回路４６、及び、ＡＷＢ検出回路４８にそれぞれ取り込まれて、露出、オートフォーカス、及び、ホワイトバランスの補正がそれぞれ行われる。
【００４０】
ＣＰＵ２７は、図４に示すように、シャッタレリーズに応答してカレンダ回路５０及びＡＷＢ検出回路４８からその時点の撮影日時情報、色温度情報を取り込み、撮影日時情報と色温度情報をメモリ３５に記憶する。また、サムネイル画像作成部５１がシャッタレリーズに応答して取り込んだ画像データに基づいて縮小したサムネイル画像を作成してメモリ３５に記憶する。
【００４１】
その後、シーン連続性判別部５２は、１つ前の画像データの色温度情報と今回取得した画像データの色温度情報とをメモリ３５から読み出して互いを比較し、互いの光源の種類が異なる場合には新たなグループ番号を表す情報を、また、互いの光源の種類が同じであると判定した場合には１つ前の画像データに付与したのと同じグループ番号を表す情報を生成する。これらシーン連続性情報もメモリ３５に記憶される。
【００４２】
シーン連続性情報を生成した後に、タグ情報生成部５３は、メモリ３５から撮影日時情報、シーン連続性情報、及び、サムネイル画像を読み出してこれらを一纏めにした形式のタグ情報を作る。ＣＰＵ２７は、作ったタグ情報を画像データに埋め込んだ形式で画像ファイルを作り、作った画像ファイルをメモリカード４２に保存する。
【００４３】
例えば、最初に撮影した画像データが太陽光の色温度であると検出されると、シーン連続性情報としてグループ番号のうちの開始番号「Ａ」を画像ファイルに付与する。次に撮影した画像データも太陽光の色温度である場合には同じグループ番号である「Ａ」を画像ファイルに付与する。次に撮影した画像データが蛍光灯の色温度である場合には新たなグループ番号である「Ｂ」を画像ファイルに付与する。次に撮影した画像データが再び太陽光の色温度である場合には新たなグループ番号である「Ｃ」を画像ファイルに付与する。このように、１つ前の画像データの色温度に対して同じであれば前回と同じグループ番号を、また、異なる場合には新たなグループ番号を付与していく。
【００４４】
メモリカード４２に保存した画像ファイルを再生する場合には、機能モードダイヤル１５を再生モードの位置にセットしてから電源ボタン１４をＯＮする。そうすると、図５に示すように、タグ情報収集部５４が、メモリカード４２に保存した画像ファイルを読み出し、各画像ファイルからタグ情報を収集する。収集したタグ情報はメモリ３５に記憶される。
【００４５】
タグ情報を集取した後には、インデックス表示制御部２７が、メモリ３５からグループ番号と、それに対応付けされているサムネイル番号とを読み出し、グループ番号に基づいてサムネイル画像をグループ化して分類し、分類したグループをグループ番号の昇順に並べたインデックス画像を作成し、作成したインデックス画像をＬＣＤ１６に表示する。
【００４６】
これにより、ＬＣＤ１６には、図６に示すように、グループごとに分類したサムネイル画像Ａ１〜Ａ７，Ｂ１〜Ｂ３，Ｃ１〜Ｃ４，Ｄ１，Ｄ２がグループ枠５６内に並べて表示される。このグループ枠５６は、グループ番号の数に応じて作られる。グループ枠５６内に表示されるサムネイル画像Ａ１〜Ａ７，Ｂ１〜Ｂ３，Ｃ１〜Ｃ４，Ｄ１，Ｄ２は、撮影日時の順に並んでいる。この場合、ＬＣＤ１６の画面の下方向がグループ枠５６の時系列方向になっている。グループ枠５６内に表示されるサムネイル画像Ａ１〜Ａ７，Ｂ１〜Ｂ３，Ｃ１〜Ｃ４，Ｄ１，Ｄ２は、その下方向とは異なる方向、例えば右方向に向けて時系列に並べるのが好適である。なお、図６では、グループ番号を英字で示している。サムネイル画像の中に記載した英字「Ａ」「Ｂ」「Ｃ」「Ｄ」がグループ番号に相当する英字であり、英字の順番が付与した順、すなわち時系列の順になっている。英字の後に付与した番号は、撮影日時の順番を表している。
【００４７】
なお、上記実施形態では、グループ番号のみに基づいてサムネイル画像を分類しているが、代わりに、撮影日ごとにサムネイル画像を大分類し、撮影日ごとに分類したサムネイル画像をグループ番号に基づいてグループ化してもよい。この場合には、図６に示したように、まず、ＬＣＤ１６の画面内の左側に撮影日５７を表示し、撮影日が同一なサムネイル画像をグループ番号に基づいてグループ化する。この場合には、再生時にまず撮影日時情報を取得し、サムネイル画像を撮影日ごとに分類して、分類したサムネイル画像をグループ番号に基づいて分類すればよい。
【００４８】
所望する撮影日の画像ファイルを捜す場合には、ＬＣＤ１６の画面右側に表示した垂直スクロールバー５８を、十字ボタン２０のうちの上・下ボタンの操作で垂直に動かすことで次の頁を順に表示することができる。この垂直スクロールバー５８の移動域に対する位置に基づいて次の頁及び別の撮影日のものがあるか否か判断することができる。
【００４９】
ＬＣＤ１６の画面に表示されているサムネイル画像のうちのいずれか１つは、選択枠５９で囲まれている。この選択枠５９を左・右ボタンで所望のサムネイル画像に移動させて決定ボタン１７を操作することで所望する画像データがＬＣＤ１６に拡大表示される。
【００５０】
上記実施形態では、テレビカメラ、テレビカメラで撮像した画像データを記録する画像記録機、及び、画像記録機で記録した画像データを表示する画像表示機を内蔵した電子カメラとして説明しているが、本発明ではこれに限らず、テレビカメラ、及び画像記録機を省略し、画像表示機（画像表示装置）だけの構成にしてもよい。
【００５１】
画像表示装置は、記録媒体に保存した画像ファイルを読み出してＬＣＤやモニタに表示する。この場合、記録媒体に保存した画像ファイルには、シーン連続性情報が書き込まれていないものがある。そこで、図７に示すように、画像表示装置６０に、色温度検出回路６１とシーン連続性情報作成部６２とを設けている。色温度検出回路６１は、読み出した画像データに基づいて色温度を検出し、色温度情報として出力する。シーン連続性情報作成部６２は、得られた色温度情報に基づいて各画像データのシーン連続性情報のリストを作成する。なお、図３で説明したと同じものには同符号を付与して詳しい説明を省略する。また、ＬＣＤ１６の代わりにモニタを用いても良い。さらに、ＬＣＤ表示部１４ＬＣＤ２３やモニタなどの表示部を、接続線を介して画像表示装置とは別に設けても良い。
【００５２】
メモリカード４２には、多数の画像ファイルが保存されている。操作部から再生指示がＣＰＵ２７に入力されると、タグ情報収集部５４がメモリカード４２から画像ファイルを読み出してサムネイル画像や撮影日時情報などのタグ情報を取得し、これらをメモリ３５に記憶する。ここで、タグ情報にシーン連続性情報が記載されているものは、その情報を利用する。タグ情報にシーン連続性情報が記載されていない場合には、読み出した画像データを色温度検出回路６１に取り込んで被写体の色温度を検出して色温度情報を得る。シーン連続性判別部５２は、読み出し順番の前の画像データと次に読み出した画像データとで色温度情報を比較していき、各画像データのシーン連続性情報を作っていく。そして、シーン連続性情報を作った後には、インデックス表示制御部５５が、サムネイル画像をシーン連続性情報であるグループ番号ごとにグループ化し、かつ、各グループを時系列（撮影日時順）に並べたインデックス画像を作成し、作成したインデックス画像をＬＣＤ１６に表示する。ここで、読み出し順番は撮影日時情報に基づく順番であり、画像ファイルは一般的に撮影日時に基づく順番になるファイル名が付けられている。このため、一般的に画像ファイル並び順に読み込めば撮影日時の順番で読み込める。なお、この例でも、撮影日でサムネイル画像を大分類してグループ番号に基づいて分類してもよい。
【００５３】
また、本発明では、上記で説明した画像表示装置に限らず、前述したようなステップ（工程）を構成する画像表示方法でもよい。さらに、画像表示方法の各ステップを１又は複数のコンピュータに実現させるためのプログラムとしてもよい。この場合、タグ情報収集部５４、シーン連続性判別部５２、シーン連続性情報作成部６２、及び、インデックス表示制御部５５などは、例えばＣＤ（コンパクトディスク）などの記憶媒体に格納され、例えばＣＤドライブからＨＤ（ハードディスク）などにインストールされてＣＰＵにより実行されるプログラムにより実現される。
【００５４】
上記各実施形態では、静止画像ファイルを記録又は表示する装置及び方法について説明しているが、以下で説明する実施形態では、動画ファイルを記録する動画像記録装置について説明する。この実施形態では、大量の動画データの閲覧を容易にするために、動画撮影中に、フレーム画像の色温度情報を参照してシーン連続性を検出し、不連続シーンであるフレーム画像を検出すると、そのフレーム画像の前で動画ファイルを分割して保存していく。つまり、色温度情報に基づくシーン連続性単位ごとに、自動的に動画ファイルを分割して保存していく。
【００５５】
図８に示す電子カメラ７０は、機能モード選択ダイヤルにビデオモードが設けられている。ビデオモードでは、画像データ（フレーム画像）が画像入力コントローラ３３を介して画像信号処理回路３８に取り込まれる。なお、図３で説明したものと同じものに同符号を付与してここでの詳しい説明を省略する。
【００５６】
画像信号処理回路３８に入力されたＲＧＢの画像データは、ＹＣ変換処理回路３９において輝度信号（Ｙ信号）および色差信号（Ｃｒ，Ｃｂ信号）に変換されるとともに、ガンマ補正等の所定の処理が施される。ＹＣ変換処理回路３９で処理された画像データはメモリ３５に格納される。
【００５７】
撮像画像をＬＣＤ１６に出力する場合、メモリ３５から画像データが読み出され、バス３４を介してＬＣＤドライバ３６に送られる。ＬＣＤドライバ３６は、入力された画像データを表示用の所定方式の信号（例えば、ＮＴＳＣ方式のカラー複合映像信号）に変換してＬＣＤ１６に出力する。これにより、撮像中の映像がスルー画像としてリアルタイムにＬＣＤ１６に表示される。
【００５８】
スルー画像を表示中には、ＡＥ検出回路４７、ＡＦ検出回路４６、及び、ＡＷＢ検出回路４８が動作する。これにより、絞り値とシャッタスピードが決定され、これに従いＣＰＵ２７はＣＣＤ２４の電子シャッタ、及び、絞り２２を制御して適正な露光量を得るとともに、画像信号処理回路３８で補正するホワイトバランスの補正量を得る。さらに、合焦位置に撮影レンズ１１を移動させるようにモータドライバ２８を制御する。
【００５９】
シャッタボタン１３を押すと録画開始になり、再び押すと録画停止になる。録画を開始すると、順次に取り込まれる画像データをメモリ３５に格納する。
【００６０】
メモリ３５に格納したＹ／Ｃ信号は、圧縮伸張処理回路４０によって所定のフォーマットに従って圧縮し、圧縮した動画ファイルは、メディアコントローラ４１を介してメモリカード４２に記録される。動画ファイルは、録画中はオープンされており、所定ずつ圧縮して保存されていく。そして、録画停止操作に応答してファイルをクローズして動画ファイルが完成する。この動画ファイルの形式としては、例えば、モーションＪＰＥＧ形式で記録される。
【００６１】
モーションＪＰＥＧ方式では、ＣＣＤ２４から取得した画像データを一旦、内部のメモリ３５に記憶した後、ＹＣ変換処理回路３９において輝度／色差信号（Ｙ／Ｃ信号）に変換し、１画像内でＪＰＥＧ圧縮しながら、メモリカード４２に一定のフレームレート（例えば、３０フレーム／秒）で静止画を連続的に保存していく。
【００６２】
なお、ファイル形式はモーションＪＰＥＧに限定されず、ＭＰＥＧなど他のファイル形式を適用してもよい。ＭＰＥＧ方式の場合は、フレーム内圧縮およびフレーム間圧縮を行いながらメモリカード４２に連続的に記録する。メモリカード４２に記録するときには、録画が終了するまで内部のメモリ３５に記録してゆき、録画終了後にメモリカード４２に保存してもよいし、録画しながらメモリカード４２に一定量ずつ記録するストリーミング記録でもよい。
【００６３】
ＣＰＵ２７には、シーン連続性判別部７１、ファイル切り換え制御部７２、及び、サムネイル画像作成部７３が設けられている。シーン連続性判別部７１では、図９に示すように、録画中に、画像データをフレーム単位で取り込み、画像データの色情報に基づいて色温度を判定し、その色温度情報をメモリ３５に記憶し、メモリ３５に記憶した色温度情報と、次に取り込んだ画像データの色温度と比較し、互いの色温度情報が同じである場合には連続シーンであると判定し、また、異なる場合には不連続シーンであると判定する。
【００６４】
この判定情報は、ファイル切り換え制御部７２に送られる。ファイル切り換え制御部７２は、連続シーンである旨の情報を取得することで動画ファイルを継続して保存していく。そして、不連続シーンである旨の情報を取得した場合には、継続して保存しているファイルをクローズし、新たなファイルをオープンして、不連続シーンと判定した画像データ（フレーム画像）から新たなファイルに連続的に保存していく。これにより、メモリカード４２には、シーンの変化に応じて自動的に分割した動画ファイルが順番に作成されていく。
【００６５】
サムネイル画像作成部７３は、録画最初の画像データ、及び、不連続シーンと判定された画像データに基づいて縮小したサムネイル画像（チャプタ画像）を作成する。作成したサムネイル画像は、分割して保存される動画ファイルに対応付けされて、メモリカード４２に保存される。このため、動画ファイルを再生するときには、シーンの変化ごとに分割された動画ファイルがサムネイル画像として表示される。なお、サムネイル画像で表示する代わりに、ファイル名やアイコン画像で表示してもよい。
【００６６】
上記実施形態では、動画記録装置を用いた電子カメラとして説明しているが、本発明では電子カメラに限らず、撮像手段（テレビカメラ）や画像表示機を省略し、動画像記録機（動画像記録装置）だけの構成でもよいし、撮像手段（テレビカメラ）を省略して、画像表示機と動画像記録機（動画像記録装置）とを設けた構成のものでもよい。また、上記で説明したステップ（工程）を構成する動画記録方法としてもよい。また、これら各ステップを１又は複数のコンピュータに実現させるためのプログラムとしてもよい。
【図面の簡単な説明】
【００６７】
【図１】本発明を採用した電子カメラを示す斜視図である。
【図２】図１で説明した電子カメラの背面側を示す斜視図である。
【図３】電子カメラの構成を概略的に示すブロック図である。
【図４】電子カメラでの撮影動作を示すフローチャート図である。
【図５】電子カメラでの再生動作を示すフローチャート図である。
【図６】再生時にＬＣＤに表示されるインデックス画像を示す説明図である。
【図７】画像表示装置の電気的概略を示すブロック図である。
【図８】不連続シーンに応じて動画を分割する電子カメラの構成を概略的に示すブロック図である。
【図９】図８で説明した電子カメラの動作を示すフローチャートである。
【符号の説明】
【００６８】
１０  電子カメラ
１１  撮影レンズ
１６  ＬＣＤ
４８  ＷＡＢ検出回路（ホワイトバランス検出回路）
５２  シーン連続性判別部
５５  インデックス表示制御部
５６  グループ枠
６２  シーン連続性情報作成部
【図１】
2008022216.tif 000003
【図２】
2008022216.tif 000004
【図３】
2008022216.tif 000005
【図４】
2008022216.tif 000006
【図５】
2008022216.tif 000007
【図６】
2008022216.tif 000008
【図７】
2008022216.tif 000009
【図８】
2008022216.tif 000010
【図９】
2008022216.tif 000011